(57)【要約】      （修正有）【課題】簡易な構造の床板で腰のサポート力を高め、寝心地を向上させることができるベッドフレームを提供する。【解決手段】左右フレーム２１，２２と、マットレスが載置される床部とを備え、床部は、載置されるマットレス上に仰臥した使用者の頭から背中の位置に対応する背床部３１と、腰の位置に対応する腰床部３２と、脚の位置に対応する脚床部３３とを備え、腰床部は凸弧状に湾曲した板バネ４を左右フレームに掛け渡して構成し、背床部及び脚床部は剛性素材を用いて上面を平坦に構成する。【選択図】図１
0003190784.tif 000002
【実用新案登録請求の範囲】
【請求項１】
左右フレームと、マットレスが載置される床部とを備えたベッドフレームであって、
前記床部は、載置されるマットレス上に仰臥した使用者の頭から背中の位置に対応する背床部と、同じく腰の位置に対応する腰床部と、同じく脚の位置に対応する脚床部とを備え、
前記腰床部は、凸弧状に湾曲した板バネを前記左右フレームに掛け渡して構成し、
前記背床部及び脚床部は、剛性素材を用いて上面を平坦に構成した、
ベッドフレーム。
【請求項２】
左右フレームと、マットレスが載置される床部とを備えたベッドフレームであって、
前記床部は、載置されるマットレス上に仰臥した使用者の頭から背中の位置に対応する背床部と、同じく腰の位置に対応する腰床部と、同じく脚の位置に対応する脚床部とを備え、
前記腰床部は、前記左右フレーム間に中間受け部を設け、この中間受け部から前記左右フレームに凸弧状に湾曲した板バネを掛け渡して構成し、
前記背床部及び脚床部は剛性素材を用いて上面を平坦に構成した、
ベッドフレーム。
【請求項３】
腰床部は、複数の板バネを平行に並べて構成した、
請求項１又は２記載のベッドフレーム。
【請求項４】
板バネは、隣接する板バネとの間に隙間を設けて配置した、
請求項３記載のベッドフレーム。
【考案の詳細な説明】
【技術分野】
【０００１】
この考案は、マットレスを載置してベッドを構成するためのベッドフレームに関するものである。
【背景技術】
【０００２】
一般に、人間が寝る時の姿勢（寝姿勢）は、自然に立っている状態に近い背骨のＳ字ラインを保つような姿勢とすると、身体への負担が軽くなり、理想的とされている。
また、人間の身体には凹凸があるため、平坦面に横たわった状態において、平坦面から身体が受ける圧力（体圧）は、凸部においては大きく、凹部においては小さくなり、局部的な差異が生じる。このとき、体圧が高い部分では血管が圧迫されて血流が悪くなり、身体への負担が生じることとなる。したがって、身体への負担を軽減するためには、局部的な体圧の集中を回避する、すなわち、体圧を分散させる必要がある。
【０００３】
この点、従来のベッドフレームは、マットレスを載置する床部として、上面が平坦なスノコ状の板材を用いたものが一般的であるが、このようなベッドフレームにあっては、上記したような寝姿勢や体圧分散について考慮されていない。
【０００４】
他方、特開平６−１８９８３９号公報に記載された考案のように、ベッドの床板に板バネを用いることで、寝姿勢の改善及び体圧の分散を可能としたベッドフレームも従来より存在している。
【０００５】
この考案によれば、板バネで構成された床板上にマットレスが載置され、このマットレス上に使用者が仰臥すると、使用者の体圧に応じて板バネが適宜弾性変形（体圧が大きいところは変形量が大きく、体圧が小さいところは変形量が小さい）するので、使用者にかかる体圧を分散してこれを支えることができる。
【特許文献１】特開平６−１８９８３９号公報
【０００６】
他方、快適な眠りを得るためには、上記した寝姿勢や体圧分散の他、好みの寝心地が得られることも重要な要素となっている。この寝心地には、腰のサポート感が大きく影響するものとされており、ベッドフレーム床板の板バネの硬さを調整することで、好みの寝心地を得られるようにしたものも提案されている。
【非特許文献１】株式会社良品計画、「無印良品ネットストア」における「木製ベッドフレーム・シングル・タモ材／ナチュラル」（商品名）の製品詳細ページ、［online］、２０１４年２月１８日検索、インターネット（URL：http://www.muji.net/store/cmdty/detail/4934761331065?searchno=2）
【０００７】
しかしながら、この考案では、板バネの硬さ調整を行うのに手間がかかる上、床板が全て板バネで構成されているため、構造が複雑であり製造コストもかかるという問題がある。
また、床板が全て板バネで構成されているので、マットレスを載置した際、安定性に欠けるという問題もある。
【考案の開示】
【考案が解決しようとする課題】
【０００８】
この考案は、簡易な構造の床板で腰のサポート力を高め、寝心地を向上させることができるベッドフレームを得ることを課題とする。
【課題を解決するための手段】
【０００９】
この考案のベッドフレームは、左右フレームと、マットレスが載置される床部とを備え、前記床部は、載置されるマットレス上に仰臥した使用者の頭から背中の位置に対応する背床部と、同じく腰の位置に対応する腰床部と、同じく脚の位置に対応する脚床部とを備え、前記腰床部は凸弧状に湾曲した板バネを前記左右フレームに掛け渡して構成し、前記背床部及び脚床部は剛性素材を用いて上面を平坦に構成する。
【００１０】
前記板バネは、例えば、ウッドスプリングを用いることが考えられるが、凸弧状に湾曲した板状の弾性素材であれば金属製であっても合成樹脂製であってもよく、その材質は問わない。
前記背床部及び脚床部は、何れも弾性変形しない剛性素材で上面が平坦なものとして構成してあればよく、それぞれを１枚板状に形成したり、複数の板材をスノコ状に形成したり、ワイヤーなどを用いてメッシュ状に形成することが考えられる。
ここで、「上面が平坦」とは、マットレスの載置面となる背床部及び脚床部の上面側に大きな凹凸がなく、全体として平坦であることを意味する。
【００１１】
請求項２のベッドフレームは、左右フレームと、マットレスが載置される床部とを備え、前記床部は、載置されるマットレス上に仰臥した使用者の頭から背中の位置に対応する背床部と、同じく腰の位置に対応する腰床部と、同じく脚の位置に対応する脚床部とを備え、前記腰床部は、前記左右フレーム間に中間受け部を設け、この中間受け部から前記左右フレームに凸弧状に湾曲した板バネを掛け渡して構成し、前記背床部及び脚床部は剛性素材を用いて上面を平坦に構成する。
前記中間受け部は、腰床部における左右フレームの中間位置に、前記左右フレームと平行な縦桟を配設して設けることなどが考えられる。
【００１２】
請求項３の考案に係るベッドフレームは、腰床部は、複数の板バネを平行に並べて構成する。
【００１３】
請求項４の考案は、請求項３の考案において、板バネは、隣接する板バネとの間に隙間を設けて配置して構成する。
【考案の効果】
【００１４】
この考案によれば、マットレスが載置される床部は、背床部と腰床部と脚床部とを備え、前記腰床部は凸弧状に湾曲した板バネを左右フレームに掛け渡して構成し、前記背床部及び脚床部は剛性素材で上面を平坦に構成したので、マットレスが載置される床部において、腰床部のみ板バネによってマットレスが弾性的に支持されることとなる。そして、腰床部を構成する板バネは凸弧状に湾曲しているので、マットレスに仰臥した使用者の腰部（臀部から腰椎にかけての部位）の凹凸に沿うようにして弾性的にこれをサポートすることができる。これにより、マットレス載置時における安定性を確保しつつ、使用者の腰部に対するサポート力を高めることができる。
【００１５】
請求項２の考案によれば、腰床部は、左右フレーム間に中間受け部を設け、この中間受け部から左右フレームに向かって凸弧状に湾曲した板バネをそれぞれ掛け渡して構成したので、ダブルサイズ以上の横幅の広いベッドフレームにも対応することができる。
【００１６】
請求項３の考案によれば、複数の板バネが、個々の板バネにかかる重圧に応じて弾性変形するため、微妙な加重圧の差異にも対応でき、寝心地をさらに向上させることができる。
【００１７】
請求項４の考案によれば、板バネは、隣接する板バネとの間に隙間を設けて配置したので、通気性にも優れ、寝心地をより向上させることができる。
【図面の簡単な説明】
【００１８】
【図１】この考案の第１の実施例の概要を示す図
【図２】同じく中央縦断面図
【図３】同じく中央横断面図
【図４】同じくマットレスを載置した状態を示す図
【図５】同じく使用者が仰臥した状態を示す図
【図６】この考案の第２の実施例の概要を示す図
【図７】同じく中央横断面図
【考案を実施するための形態】
【００１９】
図１ないし図５は、この考案のベッドフレームの第１の実施例の概要を示す図である。
ベッドフレーム１は、左右フレーム２１，２２と前後フレーム２３，２４とからなる外フレーム２の内側に床部３を配設して構成されている。
【００２０】
床部３は、載置されるマットレス上に仰臥した使用者の頭から背中の位置に対応する背床部３１と、腰の位置に対応する腰床部３２と、脚の位置に対応する脚床部３３とを備えている。
【００２１】
背床部３１及び脚床部３３はスチール製ワイヤーを網目状に組んだ平板状の部材として形成されており、この背床部３１と脚床部３３は何れも上側が全体として平坦な面となるように構成されている。そして、背床部３１と脚床部３３は、左右フレーム２１，２２の間に掛け渡された複数の横桟２５の上に載置することにより、外フレーム２の内側に配設されている。
【００２２】
腰床部３２は、凸弧状に湾曲した木製の板バネ４を５枚、等間隔に並べて左右フレーム２１，２２に掛け渡して構成されている。
板バネ４の両端には、それぞれゴム製の固定具５１，５２が取り付けられており、この固定具５１，５２の下側には突起５ａが設けられている。
他方、左右フレーム２１，２２の内側には、板バネ４の端部を支持する受け部２１１，２２１がそれぞれ設けられており、この受け部２１１，２２１には取付孔２１１ｂ，２２１ｂが形成されている。
板バネ４は、固定具５の突起５ａを受け部２１１，２２１の取付孔２１１ｂ，２２１ｂにそれぞれ嵌め込んで固定することにより、左右フレーム２１，２２に掛け渡して取付られている。
【００２３】
板バネ４の湾曲は、左右フレーム２１，２２に掛け渡してマットレスを載置しない状態において、中央部が背床部３１，脚床部３３の上面から僅かに突出する程度の湾曲としてある（図２、３参照）。
図中符号６はベッドフレームの脚、７は補強フレームである。
【００２４】
図５は、この考案の第１の実施例のベッドフレーム１にマットレスＭを載置し、使用者が仰臥した状態を示す概念図である。
マットレスＭ上に使用者が仰臥すると、体圧はマットレスＭを介して床部３に伝わる。このとき、体圧は一定程度マットレスＭに吸収されるものの、体圧の大小に応じて床部３に加重が加わることとなる。このため、使用者が仰臥した際、体圧が大きくかかる使用者の臀部（骨盤）付近に位置する板バネ４には大きな加重がかかって弾性変形する量が大きくなり、体圧がそれほどかからない背骨（腰椎）付近に位置する板バネ４にはほとんど加重がかからず弾性変形する量は小さくなる。そして、背床部３１と脚床部３３は、何れも剛性素材で構成されているので弾性変形しない。
以上のように、床部３は、腰床部３２においてのみ体圧に応じた弾性変形ができるようにしたので、使用者の腰部に特化してサポート力を向上させることができる。
【００２５】
床部全体を板バネで構成した従来のベッドフレームにあっては、床部全体を弾性変形させることにより、使用者の身体全体の体圧分散を可能とし、背骨のＳ字カーブにも対応できるようにしているため、使用者は全身に対するサポート感を得ることができるが、腰部に対する格別なサポート感を得ることができず、よい寝心地が得られなかった。この点、この発明のベッドフレームにあっては、上記の通りの構成とすることにより、使用者の腰部に対するサポート感を向上させ、寝心地を改善することができる。
【００２６】
図６及び図７は、この考案のベッドフレームの第２の実施例の概要を示す図である。
ベッドフレーム１は、左右フレーム２１，２２と前後フレーム２３，２４とからなる外フレーム２の内側に床部３を配設して構成されている。前後フレーム２３，２４の長さは、第１の実施例よりも長く、ダブルベッド用のベッドフレームとして構成されている。
【００２７】
床部３は、載置されるマットレス上に仰臥した使用者の頭から背中の位置に対応する背床部３１と、腰の位置に対応する腰床部３２と、脚の位置に対応する脚床部３３とを備え、背床部３１と脚床部３３とが、それぞれ左右フレーム２１，２２の間に掛け渡された複数の横桟２５の上に載置することにより、外フレーム２の内側に配設されている点は、第１の実施例と同様である。
【００２８】
腰床部３２は、左右フレーム２１，２２の間に縦桟からなる中間受け部２６を設け、この中間受け部２６から左右フレーム２１，２２に向かって、凸弧状に湾曲した木製の板バネ４を５枚ずつ等間隔に並べてそれぞれ掛け渡して構成されている。
左右フレーム２１，２２の内側には、板バネ４の端部を支持する受け部２１１，２２１がそれぞれ設けられており、この受け部２１１，２２１には取付孔２１１ｂ，２２１ｂが形成されている。
また、中央受け部２６は、背床部３１、脚床部３３の横桟２５のそれぞれ腰床部３２側に配設された横桟２５にその両端が取り付けられ、左右フレーム２１，２２と平行するように配設されている。そして、中央受け部２６の上面には、取付孔２６ｂが形成されている。
【００２９】
板バネ４の一端（左右フレーム２１，２２に掛け渡される側）には、ゴム製の固定具５１，５２が取り付けられており、この固定具５１，５２の下側には突起５ａが設けられている。また、中央受け部２６の上面には、左右フレーム２１，２２にそれぞれ掛け渡される板バネ４の端部が両側から嵌挿可能なゴム製の固定具５３が、取付孔２６ｂに嵌め込まれる形で取り付けられている。
板バネ４は、一端を中央受け部２６に設けられた固定具５３に嵌挿し、固定具５１，５２が取り付けられた他端をそれぞれ左右フレーム２１，２２の受け部２１１，２２１の取付孔２１１ｂ，２２１ｂに嵌め込んで固定することにより、中央受け部２６から左右フレーム２１，２２に掛け渡して取付られている。
その他の構成は実施例１と同様である。
【００３０】
マットレスを床部３上に載置して使用者が仰臥した場合には、中央受け部２６を境として左右独立して実施例１と同様の効果が得られるものとなる。これにより、ダブルサイズやクイーンサイズのように横幅の広いベッドについても対応可能となる。
【産業上の利用可能性】
【００３１】
この考案は、マットレスを載置してベッドを構成するためのベッドフレームに関するものであり、産業上の利用可能性を有するものである。
【符号の説明】
【００３２】
１  ベッドフレーム
２  外フレーム
２１  左フレーム
２１１  受け部
２２  右フレーム
２２１  受け部
２３  前フレーム
２４  後フレーム
２５  横桟
２６  中央受け部
３  床部
３１  背床部
３２  腰床部
３３  脚床部
４  板バネ
５１，５２  固定具
５３  固定具
６  脚
７  補強フレーム
【図１】
0003190784.tif 000003
【図２】
0003190784.tif 000004
【図３】
0003190784.tif 000005
【図４】
0003190784.tif 000006
【図５】
0003190784.tif 000007
【図６】
0003190784.tif 000008
【図７】
0003190784.tif 000009